(57)【特許請求の範囲】
【請求項１】
短波長の搬送波で第一の送信局から送信された無線信号のプリアンブル部分を検出し、
前記プリアンブル部分の検出に応じて特定された無線信号から、前記搬送波に重畳された信号を抽出し、
抽出した前記信号と、前記第一の送信局とは異なる第二の送信局から受信した無線信号から抽出された、前記第二の送信局で搬送波に重畳された信号と、を重ね合わせて復調を行い、
前記信号の種類と、前記無線信号の送信開始時刻と搬送波の周波数の組み合わせと、が対応付けられた記憶部を参照し、
前記プリアンブル部分に含まれる前記無線信号の前記送信開始時刻と前記搬送波の周波数の組み合わせに対応した信号の種類毎にデータベースに蓄積する処理をコンピュータに実行させ、
前記復調を行う処理は、
前記信号の種類が一致する無線信号から抽出された信号同士を重ね合わせる、無線信号の復調プログラム。
【請求項２】
コンピュータによる無線信号の復調方法であって、該コンピュータが、
短波長の搬送波で第一の送信局から送信された無線信号のプリアンブル部分を検出し、
前記プリアンブル部分の検出に応じて特定された無線信号から、前記搬送波に重畳された信号を抽出し、
抽出した前記信号と、前記第一の送信局とは異なる第二の送信局から受信した前記無線信号から抽出された、前記第二の送信局で搬送波に重畳された信号と、を重ね合わせて復調を行い、
前記信号の種類と、前記無線信号の送信開始時刻と搬送波の周波数の組み合わせと、が対応付けられた記憶部を参照し、
前記プリアンブル部分に含まれる前記無線信号の前記送信開始時刻と前記搬送波の周波数の組み合わせに対応した信号の種類毎にデータベースに蓄積し、
前記復調を行うときに、
前記信号の種類が一致する無線信号から抽出された信号同士を重ね合わせる、無線信号の復調方法。
【請求項３】
短波長の搬送波で第一の送信局から送信された無線信号のプリアンブル部分を検出する検出部と、
前記プリアンブル部分の検出に応じて特定された無線信号から、前記搬送波に重畳された信号を抽出する信号抽出部と、
抽出した前記信号と、前記第一の送信局とは異なる第二の送信局から受信した前記無線信号から抽出された、前記第二の送信局で搬送波に重畳された信号と、を重ね合わせて復調を行う復調部と、
前記信号の種類と、前記無線信号の送信開始時刻と搬送波の周波数の組み合わせと、が対応付けられた記憶部を参照し、前記プリアンブル部分に含まれる前記無線信号の前記送信開始時刻と前記搬送波の周波数の組み合わせに対応した信号の種類毎にデータベースに蓄積する蓄積部と、を有し、
前記復調部は、
前記信号の種類が一致する無線信号から抽出された信号同士を重ね合わせる、情報処理装置。
【請求項４】
短波長の搬送波で第一の通信装置から送信された無線信号のプリアンブル部分を検出し、
前記プリアンブル部分の検出に応じて特定された無線信号から、前記搬送波に重畳された信号を抽出し、
抽出した前記信号と、前記第一の通信装置とは異なる第二の通信装置から受信した前記無線信号から抽出された、前記第二の通信装置で搬送波に重畳された信号と、を重ね合わせて生成した復調対象の信号を情報処理装置へ送信し、
前記信号の種類と、前記無線信号の送信開始時刻と搬送波の周波数の組み合わせと、が対応付けられた記憶部を参照し、
前記プリアンブル部分に含まれる前記無線信号の前記送信開始時刻と前記搬送波の周波数の組み合わせに対応した信号の種類毎にデータベースに蓄積する、処理をコンピュータに実行させ、
前記復調対象の信号は、
前記信号の種類が一致する無線信号から抽出された信号同士である、無線信号の復調プログラム。
【請求項５】
短波長の搬送波で第一の通信装置から送信された無線信号のプリアンブル部分を検出する検出部と、
前記プリアンブル部分の検出に応じて特定された無線信号から、前記搬送波に重畳された信号を抽出する信号抽出部と、
抽出した前記信号と、前記第一の通信装置とは異なる第二の通信装置から受信した前記無線信号から抽出された、前記第二の通信装置で搬送波に重畳された信号と、を重ね合わせて生成した復調対象の信号を情報処理装置へ送信する出力部と、
前記信号の種類と、前記無線信号の送信開始時刻と搬送波の周波数の組み合わせと、が対応付けられた記憶部を参照し、前記プリアンブル部分に含まれる前記無線信号の前記送信開始時刻と前記搬送波の周波数の組み合わせに対応した信号の種類毎にデータベースに蓄積する蓄積部と、を有し、
前記復調対象の信号は、
前記信号の種類が一致する無線信号から抽出された信号同士である、受信局。
【発明の詳細な説明】
【技術分野】
【０００１】
本発明は、無線信号を復調する復調プログラム、復調方法、情報処理装置及び受信局に関する。
【背景技術】
【０００２】
従来から、周波数が３〜３０ＭＨｚの短波帯域を用いた通信が知られている。また、従来から、短波帯域を用いた通信は、電離層及び地表での反射による遠達性を有しており、遠距離通信に利用されていることが知られている。
【先行技術文献】
【特許文献】
【０００３】
【特許文献１】特開２００５−３３３２９１号公報
【特許文献２】特開２００３−２３４６８３号公報
【発明の概要】
【発明が解決しようとする課題】
【０００４】
しかしながら、電離層の状態は時々刻々と変化しており、状態に応じて電波をそのまま通過させたり、減衰させたり、反射させたりする。また、電離層は、電波の周波数によっても、電波に対して異なる振る舞いをする。
【０００５】
このため、短波帯域を用いた通信は、常に変化する電離層の影響を受けた不安定なものであり、伝送品質の向上が望まれている。
【０００６】
１つの側面では、無線信号から取得する情報の精度を向上させることが可能な復調プログラム、復調方法及び復調装置を提供することを目的としている。
【課題を解決するための手段】
【０００７】
一様態によれば、短波長の搬送波で第一の送信局から送信された無線信号のプリアンブル部分を検出し、前記プリアンブル部分の検出に応じて特定された無線信号から、前記搬送波に重畳された信号を抽出し、抽出した前記信号と、前記第一の送信局とは異なる第二の送信局から受信した無線信号から抽出された、前記第二の送信局で搬送波に重畳された信号と、を重ね合わせて復調を行い、前記信号の種類と、前記無線信号の送信開始時刻と搬送波の周波数の組み合わせと、が対応付けられた記憶部を参照し、前記プリアンブル部分に含まれる前記無線信号の前記送信開始時刻と前記搬送波の周波数の組み合わせに対応した信号の種類毎にデータベースに蓄積する処理をコンピュータに実行させ、前記復調を行う処理は、前記信号の種類が一致する無線信号から抽出された信号同士を重ね合わせる、処理をコンピュータに実行させる。
【０００８】
上記各処理は、上記各処理を実現する機能部、上記各処理を手順としてコンピュータにより実行させる方法、プログラムを記憶したコンピュータ読み取り可能な記憶媒体とすることもできる。
【発明の効果】
【０００９】
無線信号から取得する情報の精度を向上させる。
【図面の簡単な説明】
【００１０】
【図１】第一の実施形態の通信システムのシステム構成を説明する図である。
【図２】第一の実施形態の通信システムの利用例について説明する図である。
【図３】伝文信号及び復調対象信号を説明する図である。
【図４】ヘッダ付き変調信号を説明する図である。
【図５】復調サーバのハードウェア構成の一例を示す図である。
【図６】第一の実施形態の通信システムの有する各装置の機能を説明する図である。
【図７】送信予定テーブルの例を示す第一の図である。
【図８】送信予定テーブルの例を示す第二の図である。
【図９】受信予約テーブルの一例を示す図である。
【図１０】蓄積テーブルの一例を示す図である。
【図１１】受信管理テーブルの一例を示す図である。
【図１２】情報処理装置の動作を説明するシーケンス図である。
【図１３】復調処理部の処理を説明する第一のフローチャートである。
【図１４】復調処理部の処理を説明する第二のフローチャートである。
【図１５】位置合わせ部の処理を説明する図である。
【図１６】採用値決定部の処理を説明する図である。
【図１７】受信予約の設定画面の例を示す第一の図である。
【図１８】海域の選択画面の一例を示す図である。
【図１９】情報の種別を選択する画面の一例を示す図である。
【図２０】予約状況が表示された画面の一例を示す図である。
【図２１】予約状況を示すデータが表示された例を示す図である。
【図２２】第二の実施形態の通信システムのシステム構成を説明する図である。
【図２３】第二の実施形態の通信システムの利用例について説明する図である。
【図２４】第二の実施形態の通信システムの有する各装置の機能を説明する図である。
【発明を実施するための形態】
【００１１】
（第一の実施形態）
以下に図面を参照して実施形態について説明する。図１は、第一の実施形態の通信システムのシステム構成を説明する図である。
【００１２】
本実施形態の通信システム１００は、情報処理装置２００、送信器３００−１、３００−２、・・・、３００−ｎを有する。本実施形態の通信システム１００において、情報処理装置２００は、受信器２１０を介して、送信器３００−１、３００−２、・・・、３００−ｎから送信される無線信号を受信する。
【００１３】
本実施形態の情報処理装置２００と、送信器３００−１、３００−２、・・・、３００−ｎとは、周波数の異なる複数の搬送波を用いた無線通信（マルチバンド無線通信）を行う。
【００１４】
本実施形態の通信システム１００において、情報処理装置２００は、復調装置として機能する。また、本実施形態の通信システム１００において、送信器３００−１、３００−２、・・・、３００−ｎは、所定の周波数帯域の搬送波に伝文を示す情報を重畳して変調信号（無線信号）を生成し、無線通信により送信する。
【００１５】
尚、本実施形態の搬送波の周波数は、３〜３０ＭＨｚの短波帯域に含まれる周波数とした。また、本実施形態の通信システム１００では、変調を行う際の変調方式が予め決められているものとした。
【００１６】
本実施形態の送信器３００−１、３００−２、・・・、３００−ｎは、各地に点在する送信局が有しており、送信器毎に決められた周波数帯域を用いて無線信号を送信する。
【００１７】
本実施形態の送信器３００−１、３００−２、・・・、３００−ｎは、予め備えられている送信予定テーブルに基づき、所定の時間に所定の伝文を示す情報が重畳された変調信号を、不特定多数の受信対象機器へ送信する。すなわち、本実施形態の送信器３００−１、３００−２、・・・、３００−ｎは、それぞれが異なるタイミングで、同一の伝文を示す信号が重畳された変調信号を送信する。
【００１８】
本実施形態の伝文とは、例えば気象情報や、市況を示す情報等、公衆に利用される情報等であっても良い。以下の説明では、伝文を示す信号を伝文信号と呼ぶ。
【００１９】
尚、本実施形態の送信器３００−１、３００−２、・・・、３００−ｎは、変調信号を送信する際に、変調信号に同期信号とヘッダ情報信号とを付加して情報処理装置２００へ送信する。以下の説明では、同期信号及びヘッダ情報信号が付加された変調信号を、ヘッダ付き変調信号と呼ぶ。
【００２０】
本実施形態の情報処理装置２００は、信号データベース２２０と、通信処理部２３０とを有する。
【００２１】
本実施形態の情報処理装置２００は、送信器３００−１、３００−２、・・・、３００−ｎのそれぞれから、異なる時間帯に送信される、同一の伝文信号を含むヘッダ付き変調信号を受信する。言い換えれば、情報処理装置２００は、同一の伝文信号を含むヘッダ付き変調信号を、送信予定テーブルに定められたタイミング毎に受信する。
【００２２】
情報処理装置２００は、受信したヘッダ付き変調信号を、同一の伝文信号を含む複数のヘッダ付き変調信号毎に、信号データベース２２０に蓄積する。次に、情報処理装置２００は、通信処理部２３０により、複数のヘッダ付き変調信号のそれぞれから、伝文信号を抽出する。
【００２３】
より具体的には、本実施形態の通信処理部２３０は、ヘッダ付き変調信号を中間周波数の信号に変換する。そして、通信処理部２３０は、中間周波数の信号から、搬送波に重畳された伝文信号を抽出する。伝文信号は、伝文を示す情報を所定の変調方式に従って変調した信号である。本実施形態の伝文信号は、復調にあたりデジタル化（符号化）される前の信号である。
【００２４】
情報処理装置２００は、伝文信号を抽出すると、抽出した伝文信号の波形を比較し、一致度が所定の閾値以上となったとき、これらの伝文信号から復調対象信号を生成し、復調を行う。
【００２５】
送信器３００−１、３００−２、・・・、３００−ｎのそれぞれにおいて、搬送波に重畳される伝文信号の波形は、伝文の内容が同一の場合には同一の波形となる。
【００２６】
そこで、本実施形態の情報処理装置２００は、複数のヘッダ付き変調信号から伝文信号を抽出し、抽出した複数の伝文信号の一致度が所定の閾値以上となったとき、この伝文信号を用いて復調対象信号を生成し、復調する。
【００２７】
このため、本実施形態では、送信器３００−１、３００−２、・・・、３００−ｎそれぞれにおいて搬送波に重畳された伝文信号と、極めて近い波形の伝文信号を復調することになり、無線信号から取得する情報の精度を向上させることかができる。
【００２８】
尚、以下の説明では、送信器３００−１、３００−２、・・・、３００−ｎのそれぞれを区別しない場合には、送信器３００と呼ぶ。
【００２９】
次に、図２を参照し、本実施形態の通信システム１００を利用した通信の具体的について説明する。図２は、第一の実施形態の通信システムの利用例について説明する図である。
【００３０】
本実施形態の通信システム１００は、例えば海上の船舶２と、陸上の送信局３−１、３−２、・・・、３−ｎとの通信に適用できる。以下の説明では、送信局３−１、３−２、・・・、３−ｎのそれぞれを区別しない場合には、送信局３と呼ぶ。
【００３１】
この場合、情報処理装置２００は、海上の船舶２等に搭載されており、送信局３−１、３−２、・・・、３−ｎ及び送信器３００−１、３００−２、・・・、３００−ｎは、陸上に設置されている。
【００３２】
図２において、例えば、送信器３からヘッダ付き変調信号が送信されると、このヘッダ付き変調信号は、電離層及び地表や海面での反射により、海上へ到達する。海上の船舶２には、情報処理装置２００と共に受信器２１０が搭載されている。情報処理装置２００は、受信器２１０を介して海上に到達したヘッダ付き変調信号を受信すると、このヘッダ付き変調信号を信号データベース２２０に格納する。
【００３３】
このとき、情報処理装置２００は、１回の受信でヘッダ付き変調信号を全て受信できるとは限らない。図２の例では、情報処理装置２００は、送信器３００−１から送信されるヘッダ付き変調信号と、送信器３００−１とは異なるタイミングで送信器３００−２から送信されるヘッダ付き変調信号と、を部分的にしか受信できない場合を示している。
【００３４】
そこで、本実施形態の情報処理装置２００は、送信器３００−１、３００−２から受信したヘッダ付き変調信号から抽出した伝文信号を用いて、送信器３００−１及び３００−２のそれぞれにおいて搬送波に重畳された伝文信号と波形が近くなる復調対象信号を生成し、復調する。
【００３５】
以下に、図３を参照し、伝文信号及び復調対象信号について説明する。図３は、伝文信号及び復調対象信号を説明する図である。
【００３６】
図３において、情報処理装置２００は、送信器３００−１〜３００−４のそれぞれから受信したヘッダ付き変調信号から、伝文信号３１〜３４を抽出する。
【００３７】
尚、図３に示す信号は、時間を示す軸、周波数を示す軸、信号強度を示す軸により示される。図３の伝文信号３０は、送信器３００−１〜３００−４のそれぞれにおいて、搬送波に重畳された伝文信号である。
【００３８】
図３に示す伝文信号３１は、例えば送信器３００−１が送信したヘッダ付き変調信号から抽出した信号を示している。同様に、図３における伝文信号３２は、送信器３００−２が送信したヘッダ付き変調信号から抽出した信号を示しており、伝文信号３３は、送信器３００−３が送信した信号を示しており、伝文信号３４は、送信器３００−４が送信したヘッダ付き変調信号から抽出した信号を示している。
【００３９】
尚、本実施形態において、１つの送信器３００から送信されるヘッダ付き変調信号は、複数の異なる搬送波で変調された信号を含む。したがって、伝文信号３０は、複数の周波数の異なる搬送波のそれぞれに対して重畳された信号であり、周波数の数と同数の信号である。
【００４０】
同様に、本実施形態の伝文信号３１〜３４は、周波数の異なる搬送波のヘッダ付き変調信号から、搬送波毎に抽出された信号であり、搬送波の周波数の数と同数の信号である。
【００４１】
図３では、伝文信号３４は、伝文信号３０と比較して信号強度が著しく小さい。したがって、情報処理装置２００は、送信器３００−４から送信されたヘッダ付き変調信号から、伝文信号３０を受信できていないことがわかる。
【００４２】
これに対し、伝文信号３１及び伝文信号３２の波形は、伝文信号３０と近い波形となっている。したがって、情報処理装置２００は、送信器３００−１、３００−２から送信されたヘッダ付き変調信号から、高感度で伝文信号３０を受信していることがわかる。
【００４３】
また、伝文信号３３の波形は、伝文信号３０と比較すると、その波形が伝文信号３０と異なっている。したがって、情報処理装置２００は、送信器３００−３から送信されたヘッダ付き変調信号はノイズ等の影響を受けており、伝文信号３０の一部しか受信できていないことがわかる。
【００４４】
尚、本実施形態では、伝文信号３０において、変調速度に応じた分解能の時間単位毎の時刻に特定される点の信号強度の値が、伝文信号３１〜３４における同時刻における信号強度の値と近い程、伝文信号３１〜３４の波形が伝文信号３０の波形に近づくものとした。
【００４５】
本実施形態の情報処理装置２００は、この４つの伝文信号３１〜３４を比較し、伝文信号３１〜３４のそれぞれにおける、変調速度に応じた分解能の時間単位毎の時刻により特定される信号強度の値から、採用する値を決定し、復調対象信号３５を生成する。
【００４６】
以上のように、情報処理装置２００は、複数のヘッダ付き変調信号から抽出した複数の伝文信号３１〜３４から、伝文信号３０に波形が最も近くなる復調対象信号３５を生成した後に、この復調対象信号３５を復調する。したがって、本実施形態では、伝送品質の向上を図ることができる。尚、伝送品質とは、信号を雑音、反響、符号誤りがなく、信号をいかに間違いなく伝えるかの度合いを示す。
【００４７】
以下に、図４を参照して、本実施形態のヘッダ付き変調信号について説明する。図４は、ヘッダ付き変調信号を説明する図である。本実施形態におけるヘッダ付き変調信号に含まれるデータの構成は、同一であるから、図４では、送信器３００−１から送信されたヘッダ付き変調信号について説明する。
【００４８】
図４では、送信器３００−１から所定の周波数帯域で送信されるヘッダ付き変調信号４０に含まれる、搬送波の周波数ｆ１のヘッダ付き変調信号４０−ｆ１を示している。
【００４９】
尚、本実施形態のヘッダ付き変調信号４０には、周波数帯域に含まれる各搬送波の周波数毎のヘッダ付き変調信号が含まれる。例えば、周波数帯域に含まれる複数の搬送波の数をｎとした場合、ヘッダ付き変調信号４０には、搬送波の数に対応したｎ個のヘッダ付き変調信号が含まれる。各周波数に対応したヘッダ付き変調信号の構成は、同一である。
【００５０】
本実施形態のヘッダ付き変調信号４０−ｆ１は、同期信号４１と、ヘッダ情報信号５１と、伝文信号３０とを含む。
【００５１】
同期信号４１は、通信システム１００において送受信される全ての信号に付加される所定周波数の信号であり、ヘッダ付き変調信号４０−ｆ１のプリアンブル部分となる特徴的な信号である。同期信号４１の周波数は、通信システム１００と対応付けられており、本実施形態の情報処理装置２００では、受信した信号の先頭に同期信号４１があるとき、同期信号４１に続く信号を受信する。
【００５２】
また、本実施形態では、同期信号４１の長さが予め決められている。本実施形態では、同期信号４１の長さとは、言い換えれば同期信号４１が送信器３００−１から出力される期間である。本実施形態では、同期信号４１の長さをＴｄ秒とした。
【００５３】
本実施形態のヘッダ情報信号５１は、伝文信号３０に含まれる伝文の種類を識別する情報を含む。尚、ヘッダ情報信号５１には、ヘッダ付き変調信号４０−ｆ１の送信開始時刻や、周波数ｆ１を示す情報が含まれても良い。
【００５４】
本実施形態の伝文信号３０は、送信器３００−１において、伝文を示す情報を所定の変調方式に従って変調した信号である。
【００５５】
本実施形態では、ヘッダ付き変調信号４０−ｆ１から伝文信号３０を抽出する際に、同期信号４１と、ヘッダ情報信号５１も共に抽出される。つまり、本実施形態の情報処理装置２００では、ヘッダ付き変調信号４０−ｆ１から、同期信号４１、ヘッダ情報信号５１、伝文信号３０を含む信号（波形）５０を抽出する。
【００５６】
以下の説明では、ヘッダ付き変調信号から抽出された、同期信号、ヘッダ情報信号及び伝文信号を含む信号を、抽出信号と呼ぶ。
【００５７】
次に、本実施形態の情報処理装置２００のハードウェア構成について説明する。図５は、復調サーバのハードウェア構成の一例を示す図である。
【００５８】
本実施形態の情報処理装置２００は、それぞれバスＢで相互に接続されている入力装置２１、出力装置２２、ドライブ装置２３、補助記憶装置２４、メモリ装置２５、演算処理装置２６及びインターフェース装置２７を有する。
【００５９】
入力装置２１は、各種の情報や信号の入力を行うために装置であり、例えばキーボード等である。出力装置２２は、各種の情報や信号の出力を行うための装置であり、例えばディスプレイ等である。
【００６０】
インターフェース装置２７は、モデム、ＬＡＮカード等を含み、ネットワークに接続するために用いられる。
【００６１】
復調プログラムは、情報処理装置２００を制御する各種プログラムの少なくとも一部である。復調プログラムは例えば記録媒体２８の配布やネットワークからのダウンロードなどによって提供される。復調プログラムを記録した記録媒体２８は、ＣＤ−ＲＯＭ、フレキシブルディスク、光磁気ディスク等の様に情報を光学的、電気的あるいは磁気的に記録する記録媒体、ＲＯＭ、フラッシュメモリ等の様に情報を電気的に記録する半導体メモリ等、様々なタイプの記録媒体を用いることができる。
【００６２】
また、復調プログラムを記録した記録媒体２８がドライブ装置２３にセットされると、復調プログラムは記録媒体２８からドライブ装置２３を介して補助記憶装置２４にインストールされる。ネットワークからダウンロードされた復調プログラムは、インターフェース装置２７を介して補助記憶装置２４にインストールされる。
【００６３】
補助記憶装置２４は、インストールされた復調プログラムを格納すると共に、必要なファイル、データ等を格納する。メモリ装置２５は、コンピュータの起動時に補助記憶装置２４から復調プログラムを読み出して格納する。そして、演算処理装置２６はメモリ装置２５に格納された復調プログラムに従って、後述するような各種処理を実現している。
【００６４】
尚、本実施形態の情報処理装置２００は、例えば入力装置２１と出力装置２２が一体化した表示操作装置を有するタブレット端末等であっても良い。
【００６５】
尚、本実施形態の送信器３００のハードウェア構成は、一般的な無線通信装置と同様であるから、説明を省略する。
【００６６】
次に、本実施形態の通信システム１００の有する各装置について説明する。図６は、第一の実施形態の通信システムの有する各装置の機能を説明する図である。
【００６７】
はじめに、本実施形態の送信器３００について説明する。本実施形態の送信器３００は、変調信号生成部３１０、ヘッダ情報付加部３２０、記憶部３３０、送信部３４０を有する。
【００６８】
変調信号生成部３１０は、予め決められた周波数帯域の搬送波を変調して、搬送波に伝文信号を重畳し、同期信号を先頭に付加した変調信号を生成する。尚、伝文信号は、たとえば送信器３００を有する送信局３において入力されても良い。
【００６９】
尚、本実施形態の変調信号生成部３１０は、同期信号の周波数ｆｄ、信号強度、同期信号の長さＴｄ［秒］を予め記憶しており、後述する同期信号データ２４５と同様の波形の同期信号を生成する。
【００７０】
本実施形態のヘッダ情報付加部３２０は、同期信号が付加された変調信号に、ヘッダ情報信号を付加し、ヘッダ付き変調信号とする。本実施形態のヘッダ情報信号は、後述するヘッダ情報データ２４６と同様の波形の信号となる。
【００７１】
記憶部３３０は、送信予定テーブル３５０を有する。送信予定テーブル３５０は、後述する送信予定テーブル２４１の一部である。送信予定テーブル３５０は、送信器３００におけるヘッダ付き変調信号の送信開始時刻と、ヘッダ付き変調信号の搬送波の周波数とを対応付けている。送信予定テーブル３５０の詳細は後述する。
【００７２】
送信部３４０は、送信予定テーブル３５０に従って、ヘッダ付き変調信号を送信する。尚、送信器３００から送信されるヘッダ付き変調信号は、情報処理装置２００に対して送信されても良いし、不特定多数の機器へ送信されても良い。
【００７３】
次に、本実施形態の情報処理装置２００について説明する。本実施形態の情報処理装置２００は、通信処理部２３０を有する。
【００７４】
本実施形態の情報処理装置２００は、送信器３００におけるヘッダ付き変調信号の送信予定に応じて、設定された時刻に、設定された周波数の搬送波のヘッダ付き変調信号を受信する。そして、情報処理装置２００は、複数のヘッダ付き変調信号から抽出した伝文信号から、復調対象信号が生成されて復調が完了したとき、伝文の受信が完了したものとし、ディスプレイ等に受信結果を表示させる。
【００７５】
本実施形態の通信処理部２３０は、記憶部２４０、表示処理部２５０、復調処理部２６０を有する。
【００７６】
本実施形態の記憶部２４０は、送信予定テーブル２４１、受信予約テーブル２４２、受信管理テーブル２４３、蓄積テーブル２４４、同期信号データ２４５、ヘッダ情報データ２４６を格納する。本実施形態の記憶部２４０は、例えば補助記憶装置２４やメモリ装置２５等の記憶装置における所定の領域に、上述した各テーブルと各データとを記憶する。
【００７７】
送信予定テーブル２４１は、送信局３における送信予定を示すテーブルである。送信予定テーブル２４１には、複数の送信局３それぞれの送信予定を示す送信予定テーブルが含まれる。
【００７８】
受信予約テーブル２４２は、情報処理装置２００が受信するヘッダ付き変調信号の搬送波の周波数と、受信開始時刻とが対応付けられている。
【００７９】
受信管理テーブル２４３は、情報処理装置２００におけるヘッダ付き変調信号の受信の状況を示すテーブルである。
【００８０】
蓄積テーブル２４４は、情報処理装置２００が受信したヘッダ付き変調信号を、信号データベース２２０に格納する際に参照される。具体的には、本実施形態の蓄積テーブル２４４は、例えば伝文の種類と、ヘッダ付き変調信号を格納する記憶領域を示す情報とが対応付けられたテーブルである。
【００８１】
各テーブルの詳細は後述する。
【００８２】
本実施形態の同期信号データ２４５は、復調処理部２６０において参照されるデータである。具体的には、同期信号データ２４５は、予め決められた同期信号の周波数ｆｄ、信号強度、同期信号の長さＴｄ［秒］の同期信号の波形を示すデータである。同期信号データ２４５は、予め生成された波形データとして、記憶部２４０に記憶される。
【００８３】
本実施形態のヘッダ情報データ２４６は、復調処理部２６０において参照されるデータである。具体的には、本実施形態のヘッダ情報データ２４６は、通信システム１００における変調方式を示す情報や伝文の種類を示す情報を含む定型の情報の波形を示すデータである。ヘッダ情報データ２４６は、予め生成された波形データとして、記憶部２４０に記憶される。
【００８４】
本実施形態の表示処理部２５０の機能は、情報処理装置２００の演算処理装置２６が、表示プログラムを実行することで実現される。表示処理部２５０は、入力受付部２５１、予約設定部２５２、表示要求受付部２５３、表示制御部２５４を有し、情報処理装置２００における表示を制御する。
【００８５】
入力受付部２５１は、情報処理装置２００に対する入力を受け付ける。具体的には、入力受付部２５１は、ヘッダ付き変調信号の受信予約の入力や、伝文の表示要求の入力等を受け付ける。
【００８６】
予約設定部２５２は、ヘッダ付き変調信号の受信予約の入力を受け付け、送信予定テーブル２４１から受信予約テーブル２４２を生成し、記憶部２４０に格納する。表示要求受付部２５３は、復調処理部２６０からの伝文の表示要求を受け付ける。
【００８７】
復調処理部２６０は、受信予約テーブル２４２にしたがって受信したヘッダ付き変調信号を取得し、復調対象信号を生成して復調し、復調結果の伝文の表示要求を表示処理部２５０に対して行う。
【００８８】
本実施形態の復調処理部２６０の機能は、情報処理装置２００の演算処理装置２６が、復調プログラムを実行することで実現される。
【００８９】
本実施形態の復調処理部２６０は、受信制御部２６１、信号蓄積部２６２、信号取得部２６３、信号抽出部２６４、波形比較部２６５、除外判定部２６６、信号生成部２６７、復調部２６８、伝文出力部２６９を有する。
【００９０】
受信制御部２６１は、受信予約テーブル２４２を参照し、受信器２１０の受信周波数を変更し、ヘッダ付き変調信号を受信する。
【００９１】
信号蓄積部２６２は、ヘッダ付き変調信号を受信すると、送信予定テーブル２４１と蓄積テーブル２４４とを参照する。そして、信号蓄積部２６２は、受信開始時刻と搬送波の周波数とが一致する伝文の種類を識別し、信号データベース２２０において、識別された伝文の種類と対応する記憶領域へヘッダ付き変調信号を格納する。尚、信号蓄積部２６２が信号データベース２２０に格納する信号は、復調前の信号である。
【００９２】
また、本実施形態の信号蓄積部２６２は、ヘッダ付き変調信号を信号データベース２２０に格納すると、受信管理テーブル２４３を更新する。
【００９３】
信号取得部２６３は、信号データベース２２０から、伝文の種類毎にヘッダ付き変調信号を取得する。言い換えれば、本実施形態の信号取得部２６３は、ヘッダ付き変調信号の送信開始時刻と、周波数に応じて信号データベース２２０に格納されたヘッダ付き変調信号を取得する。尚、送信開始時刻と周波数は、ヘッダ付き変調信号のプリアンブル部分として、ヘッダ情報信号に含まれても良い。
【００９４】
信号抽出部２６４は、信号取得部２６３が取得したヘッダ付き変調信号を中間周波数の信号に変換し、ヘッダ付き変調信号に含まれる同期信号、ヘッダ情報信号、伝文信号を含む抽出信号を抽出する。本実施形態の信号抽出部２６４は、信号取得部２６３が取得したヘッダ付き変調信号が複数ある場合には、各ヘッダ付き変調信号から抽出信号を抽出する。
【００９５】
波形比較部２６５は、抽出信号の波形同士を比較し、一致度を求める。抽出信号の波形とは、同期信号とヘッダ情報信号と伝文信号とを含む波形であり、図４の波形５０に対応する波形である。
【００９６】
また、本実施形態の波形比較部２６５は、抽出信号に含まれる同期信号の波形と、同期信号データ２４５とを比較する。また、波形比較部２６５は、抽出信号に含まれるヘッダ情報信号の波形と、ヘッダ情報データ２４６とを比較する。
【００９７】
除外判定部２６６は、波形比較部２６５による同期信号の比較と、ヘッダ情報信号の比較の両方において、波形の一致度が所定の閾値以上とならないヘッダ付き変調信号を、信号生成処理の対象外として除外する。
【００９８】
信号生成部２６７は、復調対象信号を生成する。具体的には、信号生成部２６７は、位置合わせ部２７０と、採用値決定部２７１と、を有する。位置合わせ部２７０は、抽出信号に含まれる伝文信号同士を重ね合わせる。採用値決定部２７１は、重ね合わせた結果に応じて、復調対象信号の値として採用する信号強度の値を決定する。信号生成部２６７の処理の詳細は後述する。
【００９９】
復調部２６８は、信号生成部２６７により生成された復調対象信号を復調する。伝文出力部２６９は、復調結果の伝文を表示要求と共に表示処理部２５０へ出力する。
【０１００】
次に、図７乃至図１１を参照して、記憶部２４０が記憶する各テーブルについて説明する。
【０１０１】
図７は、送信予定テーブルの例を示す第一の図である。図７は、送信局３−１におけるヘッダ付き変調信号の送信予定を示す送信予定テーブル２４１Ａを示している。
【０１０２】
送信予定テーブル２４１Ａは、情報の項目として、時刻、周波数ｆａ１、周波数ｆａ２、周波数ｆａ３、周波数ｆａ４を有する。
【０１０３】
項目「時刻」の値は、ヘッダ付き変調信号の送信開始時刻を示す。項目「周波数ｆａ１」の値は、周波数ｆａ１を中心周波数とする周波数帯域の搬送波で送信される伝文の種類を示す。項目「周波数ｆａ２」の値は、周波数ｆａ２を中心周波数とする周波数帯域の搬送波で送信される伝文の種類を示す。項目「周波数ｆａ３」の値は、周波数ｆａ３を中心周波数とする周波数帯域の搬送波で送信される伝文の種類を示す。項目「周波数ｆａ４」の値は、周波数ｆａ４を中心周波数とする周波数帯域の搬送波で送信される伝文の種類を示す。
【０１０４】
図７の例では、例えば送信局３−１は、８：００に周波数ｆａ１を中心周波数とする周波数帯域の搬送波により、市況情報を伝文として送信し、８：３０に周波数ｆａ４を中心周波数とする周波数帯域の搬送波により、気象情報を伝文として送信する。
【０１０５】
図８は、送信予定テーブルの例を示す第二の図である。図８は、送信局３−２におけるヘッダ付き変調信号の送信予定を示す送信予定テーブル２４１Ｂを示している。
【０１０６】
送信予定テーブル２４１Ｂは、図７の送信予定テーブル２４１Ａと同様に、情報の項目として、時刻、周波数ｆｂ１、周波数ｆｂ２、周波数ｆｂ３、周波数ｆｂ４を有する。
【０１０７】
図８の例では、例えば送信局３−２は、８：００に周波数ｆｂ３を中心周波数とする周波数帯域の搬送波により、エリア１の気象海象情報を伝文として送信し、１１：００に周波数ｆｂ２を中心周波数とする周波数帯域の搬送波により、台風情報２を伝文として送信する。
【０１０８】
図９は、受信予約テーブルの一例を示す図である。図９に示す受信予約テーブル２４２は、情報の項目として、時刻、市況情報、沖縄気象海象情報、台風情報１、台風情報２、気象情報を有する。
【０１０９】
受信予約テーブル２４２は、項目「時刻」と、その他の項目とが対応付けられている。受信予約テーブル２４２において、項目「時刻」と対応付けられた項目は、情報処理装置２００において、受信する情報として設定された伝文の種類を示している。
【０１１０】
項目「時刻」の値は、受信器２１０による受信開始時刻を示す。項目「市況情報」の値は、市況情報が送信される搬送波の周波数帯域の中心周波数を示す。項目「沖縄気象海象情報」の値は、沖縄気象海象情報が送信される搬送波の周波数帯域の中心周波数を示す。
【０１１１】
項目「台風情報１」の値は、台風情報１が送信される搬送波の周波数帯域の中心周波数を示す。項目「台風情報２」の値は、台風情報２が送信される搬送波の周波数帯域の中心周波数を示す。項目「気象情報」の値は、海象情報が送信される搬送波の周波数帯域の中心周波数を示す。
【０１１２】
図９の例では、情報処理装置２００は、８：００から中心周波数ｆａ１の周波数帯域の搬送波で送信される市況情報を受信し、８：３０から中心周波数ｆａ４の周波数帯域の搬送波で送信される気象情報を受信することがわかる。
【０１１３】
図１０は、蓄積テーブルの一例を示す図である。本実施形態の蓄積テーブル２４４は、情報の項目として、伝文の種類と、記憶領域とを有する。
【０１１４】
項目「伝文の種類」の値は、送信される伝文の種類を示す。項目「記憶領域」の値は、信号データベース２２０において、対応する伝文の種類を送信する搬送波のヘッダ付き変調信号が格納される記憶領域を識別する情報を示す。
【０１１５】
図１０の蓄積テーブル２４４の例では、例えば「市況情報」という種類の伝文が重畳されたヘッダ付き変調信号は、信号データベース２２０におけるエリアＡ−１に格納される。また、蓄積テーブル２４４の例では、「台風情報１」という種類の伝文が重畳されたヘッダ付き変調信号は、信号データベース２２０におけるエリアＡ−３に格納される。
【０１１６】
図１１は、受信管理テーブルの一例を示す図である。本実施形態の受信管理テーブル２４３は、情報の項目として、日付、時間、伝文の種類、受信状況を有し、各項目同士は対応付けられている。
【０１１７】
項目「日付」の値は、現在の日付を示し、項目「時間」は、現在の時間を示す。項目「伝文の種類」の値は、受信した伝文の種類を示す。項目「受信状況」の値は、対応する種類の伝文の受信状況を示す。
【０１１８】
図１１の例では、例えば２０１５／３／２０の１２：００において、伝文「市況情報」
の受信状況は、完了していることがわかる。尚、本実施形態において、受信が完了することとは、伝文の復調が完了したことを示す。
【０１１９】
同様に、図１１では、２０１５／３／２１の１５：００において、伝文「台風情報２」の受信状況は、受信中である。また、図１１では、２０１５／３／２１の１５：００において、伝文「気象情報」の受信状況は、待機中である。本実施形態の待機中とは、伝文の復調が完了していないことを示す。つまり、待機中の場合は、伝文対象信号の生成が完了しておらず、引き続き次のヘッダ付き変調信号の受信を行うために待機している状態である。
【０１２０】
本実施形態では、受信管理テーブル２４３において、受信状況が完了となったとき、表示処理部２５０に伝文の表示要求が行われる。
【０１２１】
次に、図１２を参照して、本実施形態の情報処理装置２００の動作を説明する。図１２は、情報処理装置の動作を説明するシーケンス図である。
【０１２２】
本実施形態の情報処理装置２００は、表示処理部２５０の入力受付部２５１は、受信する伝文の種類の入力を受け付けると（ステップＳ１２０１）、予約設定部２５２により、送信予定テーブル２４１を参照する（ステップＳ１２０２）。そして、表示処理部２５０は、予約設定部２５２により、送信予定テーブル２４１から入力された伝文の種類を送信する搬送波の周波数帯域の中心周波数と送信開始時刻を取得する（ステップＳ１２０３）。
【０１２３】
続いて、表示処理部２５０は、予約設定部２５２により、伝文の種類と、取得した中心周波数と送信開始時刻とを対応付けた受信予約テーブル２４２を生成し（ステップＳ１２０４）、記憶部２４０に格納する（ステップＳ１２０５）。
【０１２４】
復調処理部２６０は、受信予約テーブル２４２を参照し（ステップＳ１２０６）、最も現時刻と近い放送開始時刻の中心周波数を取得する（ステップＳ１２０７）。そして、復調処理部２６０は、取得した中心周波数を受信周波数の設定する設定要求を受信器２１０へ行う（ステップＳ１２０８）。
【０１２５】
受信器２１０は、この設定要求を受けて、要求に応じた周波数を受信周波数に設定する（ステップＳ１２０９）。受信器２１０は、設定された受信周波数のヘッダ付き変調信号を受信すると、復調処理部２６０へ渡す（ステップＳ１２１０）。
【０１２６】
復調処理部２６０は、ヘッダ付き変調信号を受け取って、送信予定テーブル２４１を参照し、受信周波数と、受信開始時刻と対応する伝文の種類を取得する（ステップＳ１２１１）。続いて復調処理部２６０は、蓄積テーブル２４４を参照し（ステップＳ１２１２）、信号データベース２２０における対応する記憶領域に、受信したヘッダ付き変調信号を蓄積する（ステップＳ１２１３）。さらに、復調処理部２６０は、受信したヘッダ付き変調信号に応じて、受信管理テーブル２４３を更新する（ステップＳ１２１４）。
【０１２７】
続いて、復調処理部２６０は、信号データベース２２０に格納されたヘッダ付き変調信号を用いた復調を行う（ステップＳ１２１５）。ステップＳ１２１５の詳細は後述する。
【０１２８】
続いて、復調処理部２６０は、復調した伝文と、伝文の表示要求とを表示処理部２５０へ出力する（ステップＳ１２１６）。
【０１２９】
表示処理部２５０は、表示要求を受けて、取得した伝文を表示させる（ステップＳ１２１７）。
【０１３０】
以下に、図１３を参照して、本実施形態の復調処理部２６０の処理について、さらに説明する。図１３は、復調処理部の処理を説明する第一のフローチャートである。
【０１３１】
本実施形態の復調処理部２６０は、受信制御部２６１は、受信予約テーブル２４２を参照し、受信器２１０に受信周波数の設定要求を行い、受信器２１０に受信周波数を設定させる（ステップＳ１３０１）。続いて、復調処理部２６０は、受信器２１０を介してヘッダ付き変調信号を受信する（ステップＳ１３０２）。
【０１３２】
続いて復調処理部２６０は、信号蓄積部２６２により、送信予定テーブル２４１と蓄積テーブル２４４とを参照し、信号データベース２２０において、受信周波数と受信開始時刻が一致する伝文の種類と対応する記憶領域にヘッダ付き変調信号を格納する（ステップＳ１３０３）。続いて、信号蓄積部２６２は、受信管理テーブル２４３を更新する（ステップＳ１３０４）。
【０１３３】
次に、復調処理部２６０は、信号取得部２６３により、ヘッダ付き変調信号を格納した記憶領域に、２つ以上のヘッダ付き変調信号が格納されているか否かを判定する（ステップＳ１３０５）。ステップＳ１３０５において、２つ以上のヘッダ付き変調信号が格納されていない場合、後述するステップＳ１３１２へ進む。
【０１３４】
ステップＳ１３０５において、２つ以上のヘッダ付き変調信号が格納されていた場合、信号取得部２６３は、同じ識別子で示される記憶領域に格納された複数のヘッダ付き変調信号を取得する。そして、復調処理部２６０は、信号抽出部２６４により、各ヘッダ付き変調信号から抽出信号を抽出する（ステップＳ１３０６）。抽出信号の抽出は、前に説明した通りである。
【０１３５】
続いて復調処理部２６０は、波形比較部２６５により、複数のヘッダ付き変調信号のそれぞれから抽出された複数の抽出信号の波形を比較し、一致度を求める（ステップＳ１３０７）。尚、波形を比較する処理は、従来から知られた技術により行われる。
【０１３６】
続いて復調処理部２６０は、一致度が所定の閾値以上であるか否かを判定する（ステップＳ１３０８）。ステップＳ１３０８において、一致度が閾値以上でない場合、復調処理部２６０は、ステップＳ１３０２に戻る。
【０１３７】
ステップＳ１３０８において、一致度が閾値以上であった場合、復調処理部２６０は、複数の抽出信号から、復調対象信号を生成する（ステップＳ１３０９）。ステップＳ１３０９の処理の詳細は後述する。尚、ステップＳ１３０８における閾値は、予め復調処理部２６０に設定されていても良い。
【０１３８】
復調対象信号が生成されると、復調処理部２６０は、復調部２６８により復調対象信号を復調し（ステップＳ１３１０）、伝文出力部２６９により、復調した伝文と、伝文の表示要求とを表示処理部２５０へ出力し（ステップＳ１３１１）、処理を終了する。
【０１３９】
また、ステップＳ１３０５において、２つ以上のヘッダ付き情報が記憶されていなかった場合、復調処理部２６０は、除外判定部２６６により、受信したヘッダ付き変調信号が、波形比較部２６５による比較の対象となるか否かを判定している（ステップＳ１３１２）。具体的には、例えば除外判定部２６６は、同期信号の長さがＴｄ［秒］でない場合には、比較の対象から除外するものとしても良い。
【０１４０】
ステップＳ１３１２において、比較の対象でない場合、復調処理部２６０は、ステップ１３０２の処理に戻る。
【０１４１】
ステップＳ１３１２において、比較の対象であった場合、波形比較部２６５は、抽出信号に含まれる同期信号と、同期信号データ２４５とを比較し、一致度を求める（ステップＳ１３１３）。続いて波形比較部２６５は、一致度が閾値以上であるか否かを判定する（ステップＳ１３１４）。尚、ステップＳ１３１４の閾値は、ステップＳ１３０８の閾値よりも大きい値であることが望ましいが、ステップＳ１３０８の閾値と同じでも良い。
【０１４２】
ステップＳ１３１４の閾値は、ステップＳ１３０８の閾値よりも大きい値であることが望ましい理由は、ステップＳ１３１４の場合には、この抽出信号自体が復調対象信号となるためである。したがって、ステップＳ１３１４の閾値は、１００％に近いほうが良い。
【０１４３】
ステップＳ１３１４において、閾値以上である場合、復調処理部２６０は、この抽出信号を復調対象信号とし、ステップＳ１３１０へ進む。
【０１４４】
ステップＳ１３１４において、閾値以上でない場合、波形比較部２６５は、同期信号とヘッダ情報信号のそれぞれを、同期信号データ２４５及びヘッダ情報データ２４６と比較し、ヘッダ情報信号までの一致度を求める（ステップＳ１３１５）。
【０１４５】
続いて波形比較部２６５は、一致度が閾値以上であるか否かを判定する（ステップ１３１６）。ステップＳ１３１６の閾値は、ステップＳ１３１４と同じてあっても良いし、異なっていても良い。
【０１４６】
ステップＳ１３１６において、閾値以上でない場合、復調処理部２６０は、ステップＳ１３０２に戻る。
【０１４７】
ステップＳ１３１６において、閾値より大きい場合、復調処理部２６０は、この信号を復調対象信号として、ステップＳ１３１０へ進む。
【０１４８】
次に、図１４を参照して、復調対象信号を生成する処理を説明する。図１４は、復調処理部の処理を説明する第二のフローチャートである。図１４は、図１３のステップＳ１３０９の処理の詳細を示している。
【０１４９】
本実施形態の復調処理部２６０は、変数Ｍの値をＭ＝１に設定する（ステップＳ１４０１）。続いて、信号生成部２６７は、位置合わせ部２７０により、抽出したＭ個目の抽出信号のうち、Ｍ個目の抽出信号に含まれる同期信号の長さが、Ｔｄ秒であるか否かを判定する（ステップＳ１４０２）。ステップＳ１４０２において、同期信号の長さがＴｄ秒である場合、位置合わせ部２７０は、Ｍ個目の抽出信号を、他の抽出信号と重ね合わせる際の基準の位置を、同期信号の先頭とし（ステップＳ１４０３）、後述するステップＳ１４０７へ進む。
【０１５０】
ステップＳ１４０２において、同期信号の長さがＴｄ未満であった場合、位置合わせ部２７０は、同期信号の終点にヘッダ情報信号が続いているか否かを判定する（ステップＳ１４０４）。
【０１５１】
ステップＳ１４０４において、ヘッダ情報信号が続いている場合、位置合わせ部２７０は、Ｍ個目の抽出信号を、他の抽出信号と重ね合わせる際の基準の位置を、同期信号の終点とし（ステップＳ１４０５）、後述するステップＳ１４０７へ進む。
【０１５２】
ステップＳ１４０４において、ヘッダ情報信号が続いていない場合、信号生成部２６７は、Ｍ個目の抽出信号を復調対象信号に用いないものとし、除外する（ステップＳ１４０６）。
【０１５３】
続いて、信号生成部２６７は、取得した抽出信号全てについて、ステップＳ１４０２からステップＳ１４０６の処理を全て実行したか否かを判定する（ステップＳ１４０７）。言い換えれば、信号生成部２６７は、ステップＳ１４０７において、取得した全ての抽出信号について、位置合わせ部２７０による重ね合わせる際の基準位置の決定を行ったか否かを判定している。
【０１５４】
ステップＳ１４０７において、処理を実行していない場合、信号生成部２６７は、変数Ｍ＝Ｍ＋１とし（ステップＳ１４０８）、ステップＳ１４０２へ戻る。
【０１５５】
ステップＳ１４０７において、処理を実行した場合、信号生成部２６７は、位置合わせを行った抽出信号が３つ以上あるか否かを判定する（ステップＳ１４０９）。ステップＳ１４０９において、３つ以上ない場合、後述するステップＳ１４１３へ進む。
【０１５６】
ステップＳ１４０９において、３つ以上ある場合、信号生成部２６７は、採用値決定部２７１により、各抽出信号を重ね合わせ、所定時刻毎の信号強度の値を比較する（ステップＳ１４１０）。続いて採用値決定部２７１は、比較結果に応じて、採用する信号強度の値を決定する（ステップＳ１４１１）。
【０１５７】
本実施形態の採用値決定部２７１は、例えば３つ以上の信号強度の値において、他の値と離れている値を除外し、除外された値以外の平均値を採用する信号強度の値としても良い。
【０１５８】
続いて信号生成部２６７は、所定時刻毎と採用する信号強度の値とを対応付けた信号を復調対象信号とする（ステップＳ１４１２）。
【０１５９】
ステップＳ１４０９において３つ以上ない場合、信号生成部２６７は、位置合わせを行った抽出信号が２つ以上あるか否かを判定する（ステップＳ１４１３）。ステップＳ１４１３において２つ以上ない場合、後述するステップＳ１４１５へ進む。
【０１６０】
ステップＳ１４１３において２つ以上ある場合、つまり、位置合わせを行った抽出信号が２つである場合、信号生成部２６７は、採用値決定部２７１により、所定時刻毎の２つの抽出信号の信号強度の値を比較する。そして、採用値決定部２７１は、大きい方の値を採用する信号強度の値とし（ステップＳ１４１４）、ステップＳ１４１２へ進む。
【０１６１】
ステップＳ１４１３において２つ以上ない場合、つまり、位置合わせを行った抽出信号が１つしかない場合、信号生成部２６７は、この抽出信号を復調対象信号として出力する（ステップＳ１４１５）。
【０１６２】
以下に、図１５を参照し、位置合わせ部２７０の処理について説明する。図１５は、位置合わせ部の処理を説明する図である。図１５（Ａ）は、長さが予め決められた時間であるＴｄ秒の同期信号の例を示しており、図１５（Ｂ）、（Ｃ）、（Ｄ）は、長さが予め決められた時間であるＴｄ秒より短い同期信号の例を示している。
【０１６３】
図１５（Ａ）に示す同期信号１０１は、同期信号１０１の始点が受信された時刻Ｔｓから、同期信号１０１の終点が受信された時刻Ｔｅまでの時間がＴｄ秒である。
【０１６４】
図１５（Ｂ）に示す同期信号１０２は、同期信号１０２の始点が受信された時刻Ｔｓ１から、同期信号１０２の終点が受信された時刻Ｔｅまでの時間がＴｄ秒より短いＴｄ１秒である。同期信号１０２は、時刻Ｔｓから時刻Ｔｓ１までの期間Ｇ１において、信号が受信されなかったことを示している。
【０１６５】
図１５（Ｃ）に示す同期信号１０３は、同期信号１０３の始点が受信された時刻Ｔｓから、同期信号１０３の終点が受信された時刻Ｔｅ１までの時間がＴｄ秒より短いＴｄ２秒である。同期信号１０３は、時刻Ｔｅ１から時刻Ｔｅまでの期間Ｇ２において、信号が受信されなかったことを示している。
【０１６６】
図１５（Ｄ）に示す同期信号１０４は、同期信号１０４の始点が受信された時刻Ｔｓ２から、同期信号１０４の終点が受信された時刻Ｔｅ２までの時間がＴｄ秒より短いＴｄ３秒である。同期信号１０３は、時刻Ｔｓから時刻Ｔｓ１までの期間Ｇ３と、時刻Ｔｅ２から時刻Ｔｅまでの期間Ｇ４と、において、信号が受信されなかったことを示している。
【０１６７】
本実施形態の位置合わせ部２７０は、Ｍ個目の抽出信号に含まれる同期信号が、同期信号１０１であった場合、長さが規定値（Ｔｄ秒）であるから、同期信号１０１の始点を他の抽出信号と重ね合わせる際の基準位置とする。
【０１６８】
また、本実施形態の位置合わせ部２７０は、Ｍ個目の抽出信号に含まれる同期信号が、同期信号１０２であった場合、長さが規定値（Ｔｄ秒）ではないため、同期信号１０２の後ろにヘッダ情報信号が続いているか否かを判定する。同期信号１０２は、同期信号１０２の終点が受信された時刻Ｔｅからヘッダ情報信号が続いて受信されている。したがって、位置合わせ部２７０は、同期信号１０２の終点を他の抽出信号と重ね合わせる際の基準位置とする。
【０１６９】
また、本実施形態の位置合わせ部２７０は、Ｍ個目の抽出信号に含まれる同期信号が、同期信号１０３であった場合、同期信号１０３は、長さが規定値（Ｔｄ秒）ではないため、同期信号１０３の後ろにヘッダ情報信号が続いているか否かを判定する。
【０１７０】
同期信号１０３の後ろには、信号が受信されなかった期間Ｇ２が存在しており、ヘッダ情報信号は続いていない。
【０１７１】
この場合、位置合わせ部２７０は、同期信号１０３が、独立した信号であるのか、又は抽出信号の一部であるのか判断することができない。したがって、復調処理部２６０は、同期信号１０３を含む抽出信号を信号生成処理に用いる抽出信号から除外する。
【０１７２】
同期信号１０４についても同様である。同期信号１０４は、長さが規定値（Ｔｄ秒）ではなく、同期信号１０４の後ろに信号が受信されなかった期間Ｇ４が存在する。したがって、位置合わせ部２７０は、同期信号１０４が、独立した信号であるのか、又は抽出信号の一部であるのか判断することがでない。よって、位置合わせ部２７０は、同期信号１０４を含む抽出信号を信号生成処理に用いる抽出信号から除外する。
【０１７３】
このように、本実施形態では、同期信号の一部に乱れがある場合には、乱れて方によって、信号生成処理に用いるか否かが判定される。
【０１７４】
次に、図１６を参照し、採用値決定部２７１の処理について説明する。図１６は、採用値決定部の処理を説明する図である。
【０１７５】
図１６は、送信器３００−１から送信されたヘッダ付き変調信号４０から抽出された抽出信号５０を例として説明する。
図１６（Ａ）は、情報処理装置２００が受信するヘッダ付き変調信号４０を説明する図であり、図１６（Ｂ）は、採用値の決定を説明する図である。
【０１７６】
図１６（Ａ）の例では、ヘッダ付き変調信号４０は、周波数ｆ１、ｆ２、ｆ３、ｆ４の４つの搬送波のそれぞれを変調して同期信号とヘッダ情報信号とを付加した信号とした。言い換えれば、ヘッダ付き変調信号４０は、周波数ｆ１のヘッダ付き変調信号４０−ｆ１、周波数ｆ２のヘッダ付き変調信号４０−ｆ２、周波数ｆ３のヘッダ付き変調信号４０−ｆ３、周波数ｆ３のヘッダ付き変調信号４０−ｆ４を含む。伝文信号は、４つに分割され、ヘッダ付き変調信号４０に含まれる４つのヘッダ付き変調信号に重畳されて送信される。
【０１７７】
また、例えば送信器３００−２から送信されたヘッダ付き変調信号４２は、周波数ｆ１′のヘッダ付き変調信号４２−ｆ１′、周波数ｆ２′のヘッダ付き変調信号４２−ｆ２′、周波数ｆ３′のヘッダ付き変調信号４２−ｆ３′、周波数ｆ４′のヘッダ付き変調信号４２−ｆ４′を含む。伝文信号は、４つに分割され、ヘッダ付き変調信号４２に含まれる４つのヘッダ付き変調信号に重畳されて送信される。
【０１７８】
また、送信器３００−３から送信されたヘッダ付き変調信号４３も同様に、周波数ｆ１″のヘッダ付き変調信号４３−ｆ１″、周波数ｆ２″のヘッダ付き変調信号４３−ｆ２″、周波数ｆ３″のヘッダ付き変調信号４３−ｆ３″、周波数ｆ４″のヘッダ付き変調信号４３−ｆ４″を含む。伝文信号は、４つに分割され、ヘッダ付き変調信号４３に含まれる４つのヘッダ付き変調信号に重畳されて送信される。
【０１７９】
尚、本実施形態の伝文信号は、送信器３００−１、３００−２、３００−３において同様の方式により分割される。
【０１８０】
図１６（Ｂ）では、周波数ｆ１のヘッダ付き変調信号４０−ｆ１から抽出された抽出信号５０−ｆ１と、周波数ｆ１′のヘッダ付き変調信号４２−ｆ１′から抽出された抽出信号５２−ｆ１′と、周波数ｆ１″のヘッダ付き変調信号４３−ｆ１″から抽出された抽出信号５３−ｆ１″と、を用いて復調対象信号を生成する場合を示している。
【０１８１】
本実施形態の採用値決定部２７１は、これらの３つの抽出信号を重ね合わせ、所定時刻毎の信号強度の値を比較する。
【０１８２】
尚、所定時刻毎とは、変調速度に応じた分解能の時間単位毎の時刻である。具体的には、例えば、１秒間に１０回変調された抽出信号である場合、所定時刻毎は、０．１秒である。
【０１８３】
図１６（Ｂ）では、時刻ｔ１において、抽出信号５０−ｆ１の信号強度の値はＳ１１であり、抽出信号５２−ｆ１′の信号強度の値はＳ１２であり、抽出信号５３−ｆ１″の信号強度の値はＳ１３である。
【０１８４】
本実施形態の採用値決定部２７１は、この場合、信号強度の値Ｓ１１、Ｓ１２、Ｓ１３を比較し、それぞれが同じ程度の値であるか否かを判定する。
【０１８５】
具体的には、採用値決定部２７１は、値Ｓ１１と値Ｓ１２を比較し、差分が所定の範囲内にあるか否かを判定し、次に値Ｓ１１と値Ｓ１３を比較して差分が所定の範囲内にあるか否かを判定し、次に値Ｓ１２と値Ｓ１３を比較して差分が所定の範囲内にあるか否かを判定する。
【０１８６】
そして、採用値決定部２７１は、判定の結果全ての差分が所定の範囲内にあった場合には、最も大きい値を、時刻ｔ１における信号強度の値に採用する。
【０１８７】
また、差分が所定の範囲に入らない組み合わせがあった場合には、差分が所定の範囲内となる値のみを比較し、大きい方の値を時刻ｔ１における信号強度の値に採用しても良い。
【０１８８】
また、本実施形態の採用値決定部２７１は、例えば差分が所定の範囲に入る値同士の平均値を求め、時刻ｔ１における信号強度の値に採用しても良い。
【０１８９】
本実施形態の採用値決定部２７１は、時刻ｔ２における各抽出信号の信号強度の値Ｓ２１、Ｓ２２、Ｓ２３と、時刻ｔ３における各抽出信号の信号強度の値Ｓ３１、Ｓ３２、Ｓ３３についても同様に、各時刻において採用する信号強度の値を決定する。
【０１９０】
また、本実施形態の採用値決定部２７１は、時刻ｔｎのように、抽出信号の値がＳ１ｎとＳ２ｎの２つであった場合、２つの信号強度の値の大きい方の値を時刻ｔｎにおける信号強度の値に採用しても良い。
【０１９１】
本実施形態の採用値決定部２７１は、以上のようにして決定した時刻毎の信号強度の値を、復調対象信号として保持する。
【０１９２】
例えば採用値決定部２７１は、復調対象信号として、時刻ｔ１の信号強度の値Ｓ１１、時刻ｔ２の信号強度の値２２、時刻ｔ３の信号強度の値Ｓ３１、・・・、時刻ｔｎの信号強度の値Ｓ１ｎというように、保持する。
【０１９３】
本実施形態の採用値決定部２７１は、ヘッダ付き変調信号４０−ｆ２、４２−ｆ２′、４３−ｆ２″のそれぞれから抽出された抽出信号と、ヘッダ付き変調信号４０−ｆ３、４２−ｆ３′、４３−ｆ３″のそれぞれから抽出された抽出信号と、についても同様の処理を行い、復調対象信号を生成する。
【０１９４】
以上のように、本実施形態では、複数の送信器３００から送信された、同一の伝文信号を含むヘッダ付き変調信号から伝文信号を抽出し、伝文信号を復調する前に、これらの伝文信号に復調対象信号を生成し、復調する。したがって、本実施形態によれば、搬送波に重畳された伝文信号により近い波形の復調対象信号を生成することができ、無線信号から取得する情報の精度を向上させることができる。
【０１９５】
次に、本実施形態の情報処理装置２００における表示について説明する。図１７は、受信予約の設定画面の例を示す第一の図である。
【０１９６】
図１７に示す設定画面１７は、例えば情報処理装置２００において、通信処理部２３０が起動された際に、表示制御部２５４により、情報処理装置２００のディスプレイに表示される。
【０１９７】
設定画面１７には、ボタン１７１〜１７５が表示されている。ボタン１７１は、設定画面１７を、情報を入手したい海域を選択する画面に遷移させるボタンである。ボタン１７２は、設定画面１７を、情報の種別を選択する画面に遷移させるボタンである。ボタン１７３は、ヘッダ付き変調信号の受信予約を設定するボタンである。ボタン１７４は、設定画面１７を初期画面に遷移させるボタンである。ボタン１７５は、受信予約の状況を示す画面へ遷移させるボタンである。
【０１９８】
図１８は、海域の選択画面の一例を示す図である。図１８に示す画面１８は、設定画面１７において、ボタン１７１が選択されると、設定画面１７から遷移する画面である。
【０１９９】
画面１８には、海域を選択させるパネル１８１、１８２が表示されている。パネル１８１、１８２には、海域を選択するためのボタンが表示されている。
【０２００】
本実施形態の情報処理装置２００は、入力受付部２５１により、画面１８において海域が選択された場合、選択された海域の情報を送信する送信局３を特定する。尚、情報処理装置２００は、海域と、海域の情報を送信する送信局を示す情報とを対応付けたテーブルを予め保持していても良い。
【０２０１】
図１９は、情報の種別を選択する画面の一例を示す図である。図１９に示す画面１９は、情報の種別を選択するボタンが表示されている。
【０２０２】
本実施形態の情報処理装置２００は、入力受付部２５１が情報の種別の選択を受け付けると、予約設定部２５２により、図１８の選択により特定された送信局において選択された種別の伝文が送信される周波数や時間帯を特定し、受信予約テーブル２４２を生成する。
【０２０３】
例えば、画面１８において、「沖縄県沖」が選択され、画面１９において「台風」が選択された場合、予約設定部２５２は、沖縄県沖の台風情報を送信する搬送波の周波数と、沖縄県沖の台風情報が送信される時間帯とを特定し、受信予約テーブル２４２に格納する。
【０２０４】
図２０は、予約状況が表示された画面の一例を示す図である。図２０に示す設定画面１７Ａは、ボタン１７５が表示されていた領域に、予約状況を示す情報１７５Ａが表示されている。また、設定画面１７Ａでは、伝文の表示を行うか否かを選択させる画面１７６が表示されている。画面１７６には、台風情報１の受信が完了したことを示すメッセージが表示されている。
【０２０５】
画面１７６において、伝文の表示を選択するボタン１７７が操作されると、情報処理装置２００は、伝文を表示させる。また、画面１７６において、伝文を表示しないことを選択するボタン１７８が操作されると、表示制御部２５４は、画面１７６の表示を終了する。
【０２０６】
図２１は、予約状況を示すデータが表示された例を示す図である。図２１に示す予約状況を示す情報１７５Ａは、情報の項目として、伝文の種類、送信元となる送信局、現在の日付、現在の時間、受信完了日、受信完了時間、受信状況、受信したデータのサイズ等を有する。
【０２０７】
本実施形態の予約状況を示す情報１７５Ａは、受信管理テーブル２４３に基づき表示される。したがって、予約状況を示す情報１７５Ａは、時間と共に変化する。
【０２０８】
図２１の例では、例えば伝文「台風情報１」は、気象庁から送信されたヘッダ付き変調信号から抽出された抽出信号であり、２０１５／３／２１の午後１２：０１に受信が完了していることがわかる。
【０２０９】
以上のように、本実施形態の情報処理装置２００は、海域と情報（伝文）の種類とを設定するだけで、自動的に該当する伝文が重畳されたヘッダ付き変調信号を受信して復調し、復調結果を表示させる。
【０２１０】
さらに、本実施形態では、異なる時間帯に異なる送信局から受信した複数のヘッダ付き変調信号から抽出信号を抽出し、抽出信号を重ね合わせて復調対象信号を生成し、復調する。
【０２１１】
したがって、本実施形態によれば、簡単な操作で所望の情報（伝文）を受信することができ、さらに、無線信号から取得する情報の精度を向上させることができる。
【０２１２】
（第二の実施形態）
以下に図面を参照して、第二の実施形態について説明する。第二の実施形態は、復調処理部２６０を有する情報処理装置により、複数の受信局が受信したヘッダ付き変調信号を復調する点が第一の実施形態と相違する。よって、以下の説明では、第一の実施形態との相違点についてのみ説明し、第一の実施形態と同様の機能構成を有するものには、第一の実施形態の説明で用いた符号と同様の符号を付与し、その説明を省略する。
【０２１３】
図２２は、第二の実施形態の通信システムのシステム構成を説明する図である。
【０２１４】
本実施形態の通信システム１００Ａは、情報処理装置２００Ａ、受信器５００−１、５００−２、・・・、５００−ｎを有する。
【０２１５】
本実施形態の情報処理装置２００Ａは、通信装置６００−１、６００−２、・・・、６００−ｎから送信された無線信号を、受信器５００−１、５００−２、・・・、５００−ｎを介して受信し、受信した各無線信号から抽出信号を抽出し、復調対象信号を生成する。そして、情報処理装置２００Ａは、生成した復調対象信号を、情報処理装置２００Ａとネットワーク等を介して接続された端末装置７００等へ送信する。尚、端末装置７００は、演算処理装置とメモリ装置を有する一般的な情報処理装置であって良い。このように、本実施形態の情報処理装置２００Ａは、復調サーバとして機能する。
【０２１６】
尚、受信器５００−１、５００−２、・・・、５００−ｎを区別しない場合は受信器５００と呼び、通信装置６００−１、６００−２、・・・、６００−ｎを区別しない場合は、通信装置６００と呼ぶ。
【０２１７】
本実施形態では、通信装置６００と受信器５００とは、周波数の異なる複数の搬送波を用いた無線通信（マルチバンド無線通信）を行う。
【０２１８】
本実施形態の通信装置６００−１、６００−２、・・・、６００−ｎは、予め備えられている送信予定テーブルに基づき、所定の時間に所定の伝文を示す情報が重畳された変調信号を送信する。すなわち、本実施形態の通信装置６００−１、６００−２、・・・、６００−ｎは、それぞれが異なるタイミングで、同一の伝文を示す信号が重畳されたヘッダ付き変調信号を送信する。
【０２１９】
本実施形態の情報処理装置２００Ａは、受信器５００を介して、通信装置６００から送信されたヘッダ付き変調信号を受信すると、伝文の種類毎にヘッダ付き変調信号を信号データベース２２０に格納する。そして、情報処理装置２００Ａは、伝文毎のヘッダ付き変調信号を取得し、複数のヘッダ付き変調信号から伝文信号を含む抽出信号を抽出し、復調対象信号を生成する。
【０２２０】
復調対象信号は、情報処理装置２００Ａから端末装置７００へ送信され、端末装置７００において復調されても良い。また、復調対象信号は、情報処理装置２００Ａにおいて復調され、復調結果の伝文が端末装置７００に送信されても良い。
【０２２１】
また、本実施形態の情報処理装置２００Ａは、受信器５００と接続されることで、通信装置６００からの無線信号を受信する受信局８００として機能しても良い。
【０２２２】
次に、図２３を参照し、本実施形態の通信システム１００Ａを利用した通信の具体的について説明する。図２３は、第二の実施形態の通信システムの利用例について説明する図である。
【０２２３】
本実施形態の通信システム１００Ａは、例えば海上の船舶２、２Ａと、陸上の受信局５００との通信に適用できる。
【０２２４】
船舶２には、通信装置６００−１が搭載され、船舶２Ａには、通信装置６００−２が搭載され、これらの通信装置６００は、所定の時間帯に所定の伝文を送信する。情報処理装置２００Ａは、陸上の通信施設等に設置される。
【０２２５】
図２３において、例えば、通信装置６００からヘッダ付き変調信号が送信されると、このヘッダ付き変調信号は、電離層及び地表や海面での反射により、陸上へ到達する。情報処理装置２００Ａは、受信器５００を介して陸上に到達したヘッダ付き変調信号を受信すると、このヘッダ付き変調信号を信号データベース２２０に格納する。
【０２２６】
このとき、情報処理装置２００Ａは、１回の受信で通信装置６００−１から送信されたヘッダ付き変調信号を全て受信できるとは限らない。図２３の例では、情報処理装置２００Ａは、通信装置６００−１から送信されたヘッダ付き変調信号と、通信装置６００−２から送信されたヘッダ付き変調信号のそれぞれ一部を受信した例を示している。
【０２２７】
図２４は、第二の実施形態の通信システムの有する各装置の機能を説明する図である。
【０２２８】
本実施形態の通信装置６００は、変調信号生成部６１０、ヘッダ情報付加部６２０、記憶部６３０、送信部６４０を有する。
【０２２９】
本実施形態の変調信号生成部６１０、ヘッダ情報付加部６２０、記憶部６３０、送信部６４０のそれぞれは、第一の実施形態の送信器３００の有する変調信号生成部３１０、ヘッダ情報付加部３２０、記憶部３３０、送信部３４０と同様であるから説明を省略する。
【０２３０】
本実施形態の情報処理装置２００Ａは、通信処理部２３０Ａを有する。本実施形態の通信処理部２３０Ａは、表示処理部２５０を有していない点以外は、第一の実施形態の通信処理部２３０と同様である。
【０２３１】
尚、本実施形態では、端末装置７００に表示処理部２５０が設けられていても良い。したがって、情報処理装置２００Ａでは、受信予約テーブル２４２は、例えば端末装置７００において設定された内容に従って生成されても良い。また、受信予約テーブル２４２は、予め作成されたものが情報処理装置２００Ａに与えられていても良い。
【０２３２】
また、本実施形態の復調処理部２６０は、復調対象信号が生成されたら、復調対象信号を端末装置７００に送信しても良い。また、復調処理部２６０は、復調対象信号を復調した結果の伝文を端末装置７００に送信しても良い。
【０２３３】
本実施形態の復調処理部２６０では、端末装置７００に復調対象信号を送信するか、伝文を送信するが予め設定されていても良い。例えば、復調処理部２６０は、端末装置７００が復調機能を有していない場合等には、復調結果の伝文を端末装置７００に送信しても良い。また、復調処理部２６０は、端末装置７００が復調機能を有していなければ、伝文を端末装置７００へ送信しても良い。
【０２３４】
以上のように、本実施形態では、例えば同一の伝文が異なるタイミングで送信されてきたとき、複数のヘッダ付き変調信号から伝文信号を含む信号を抽出して重ね合わせることで、無線信号から取得する情報の精度を向上させることができる。
【０２３５】
尚、本実施形態では、通信装置６００は船舶に搭載されているものとして説明したが、これに限定されない。本実施形態の通信装置６００は、例えば山岳地帯等に点在していても良い。また、本実施形態の通信装置６００が設置される場所は、陸上であっても海上であっても良く、設置される場所は限定されない。
【０２３６】
また、本実施形態では、受信器５００は複数存在するものとしたが、情報処理装置２００Ａと接続された受信器５００は１つであっても良い。
【０２３７】
開示の技術では、以下に記載する付記のような形態が考えられる。
（付記１）
短波長の搬送波で第一の送信局から送信された無線信号のプリアンブル部分を検出し、
前記プリアンブル部分の検出に応じて特定された無線信号から、前記搬送波に重畳された信号を抽出し、
抽出した前記信号と、前記第一の送信局とは異なる第二の送信局から受信した無線信号から抽出された、前記第二の送信局で搬送波に重畳された信号と、を重ね合わせて復調を行う、処理をコンピュータに実行させる無線信号の復調プログラム。
（付記２）
前記信号の種類と、前記無線信号の送信開始時刻と搬送波の周波数の組み合わせと、が対応付けられた記憶部を参照し、
前記プリアンブル部分に含まれる前記無線信号の前記送信開始時刻と前記搬送波の周波数の組み合わせに対応した信号の種類毎にデータベースに蓄積する処理を前記コンピュータに実行させ、
前記復調を行う処理は、
前記信号の種類が一致する無線信号から抽出された信号同士を重ね合わせる、請求項１記載の無線信号の復調プログラム。
（付記３）
前記重ね合わせる処理は、
前記信号における所定時刻毎の信号強度を比較し、比較結果に基づき決められた信号強度を取得し、
前記所定時刻毎の信号強度から復調対象の信号を生成し、
前記復調を行う処理は、
前記復調対象の信号の復調を行う、付記２記載の無線信号の復調プログラム。
（付記４）
前記重ね合わせる処理は、
前記信号における所定時刻毎の信号強度のうち、最も大きい値の信号強度を前記所定時刻の信号強度とする付記３記載の無線信号の復調プログラム。
（付記５）
前記重ね合わせる処理は、
前記信号における所定時刻毎の信号強度において、差分が所定の範囲内にある信号強度の平均値を前記所定時刻の信号強度とする付記３記載の無線信号の復調プログラム。
（付記６）
前記プリアンブル部分は、
前記無線信号に含まれる特徴的な信号を含み、、
前記抽出する処理で抽出された前記信号は、
前記特徴的な信号を含み、
前記復調を行う処理は、
前記特徴的に信号の一部に乱れがある無線信号を、前記重ね合わせの対象外とする、付記２記載の復調プログラム。
（付記７）
前記重ね合わせる処理は、
前記特徴的に信号の一部に乱れがある前記信号において、乱れがない部分を重ね合わせる、付記６記載の無線信号の復調プログラム。
（付記８）
前記特徴的な信号は、
所定の周波数が所定の期間続く同期信号を含む付記６又は７記載の無線信号の復調プログラム。
（付記９）
前記復調する処理は、
前記信号に含まれる前記同期信号と、前記記憶部に格納された前記同期信号の波形データと、を比較し、前記同期信号と前記同期信号の波形データとの一致度が所定の閾値以上であったとき、前記信号を復調対象信号とする、付記８記載の復調プログラム。
（付記１０）
前記復調を行う処理は、
前記信号に含まれる前記同期信号が所定の期間続いているとき、前記同期信号の始点を前記重ね合わせの基準位置とし、
前記同期信号が所定の期間続いておらず、且つ前記同期信号にヘッダ情報信号が続いているとき、前記同期信号の終点を前記基準位置とし、
前記同期信号が所定の期間続いておらず、且つ前記同期信号に前記ヘッダ情報信号が続いていないとき、前記信号を前記重ね合わせの対象外とする、付記８記載の無線信号の復調プログラム。
（付記１１）
コンピュータによる無線信号の復調方法であって、該コンピュータが、
短波長の搬送波で第一の送信局から送信された無線信号のプリアンブル部分を検出し、
前記プリアンブル部分の検出に応じて特定された無線信号から、前記搬送波に重畳された信号を抽出し、
抽出した前記信号と、前記第一の送信局とは異なる第二の送信局から受信した前記無線信号から抽出された、前記第二の送信局で搬送波に重畳された信号と、を重ね合わせて復調を行う、無線信号の復調方法。
（付記１２）
短波長の搬送波で第一の送信局から送信された無線信号のプリアンブル部分を検出する検出部と、
前記プリアンブル部分の検出に応じて特定された無線信号から、前記搬送波に重畳された信号を抽出する信号抽出部と、
抽出した前記信号と、前記第一の送信局とは異なる第二の送信局から受信した前記無線信号から抽出された、前記第二の送信局で搬送波に重畳された信号と、を重ね合わせて復調を行う復調部と、を有する情報処理装置。
（付記１３）
短波長の搬送波で第一の通信装置送信された無線信号のプリアンブル部分を検出し、
前記プリアンブル部分の検出に応じて特定された無線信号から、前記搬送波に重畳された信号を抽出し、
抽出した前記信号と、前記第一の通信装置とは異なる第二の通信装置から受信した前記無線信号から抽出された、前記第二の通信装置で搬送波に重畳された信号と、を重ね合わせて生成した復調対象の信号を情報処理装置へ送信する、処理をコンピュータに実行させる無線信号の復調プログラム。
（付記１４）
コンピュータによる無線信号の復調方法であって、該コンピュータが、
短波長の搬送波で第一の通信装置から送信された無線信号のプリアンブル部分を検出し、
前記プリアンブル部分の検出に応じて特定された無線信号から、前記搬送波に重畳された信号を抽出し、
抽出した前記信号と、前記第一の通信装置とは異なる第二の通信装置から受信した無線信号から抽出された、前記第二の通信装置で搬送波に重畳された信号と、を重ね合わせて生成した復調対象の信号を情報処理装置へ送信する、無線信号の復調方法。
（付記１５）
付記１４に記載された復調方法に用いられる情報処理装置。
（付記１６）
短波長の搬送波で第一の通信装置から送信された無線信号のプリアンブル部分を検出し、
前記プリアンブル部分の検出に応じて特定された無線信号から、前記搬送波に重畳された信号を抽出する信号抽出部と、
抽出した前記信号と、前記第一の通信装置とは異なる第二の通信装置から受信した無線信号から抽出された、前記第二の通信装置で搬送波に重畳された信号と、を重ね合わせて生成した復調対象の信号を情報処理装置へ送信する信号生成部と、を有する情報処理装置。
（付記１７）
短波長の搬送波で第一の通信装置から送信された無線信号のプリアンブル部分を検出し、
前記プリアンブル部分の検出に応じて特定された無線信号から、前記搬送波に重畳された信号を抽出する信号抽出部と、
抽出した前記信号と、前記第一の通信装置とは異なる第二の通信装置から受信した前記無線信号から抽出された、前記第二の通信装置で搬送波に重畳された信号と、を重ね合わせて生成した復調対象の信号を情報処理装置へ送信する出力部と、を有する受信局。
【０２３８】
本発明は、具体的に開示された実施形態に限定されるものではなく、特許請求の範囲から逸脱することなく、種々の変形や変更が可能である。
【符号の説明】
【０２３９】
１００、１００Ａ  通信システム
２００、２００Ａ  情報処理装置
２１０  受信器
２２０  信号データベース
２３０、２３０Ａ  通信処理部
２４０  記憶部
２５０  表示処理部
２６０  復調処理部
２６４  信号抽出部
２６５  波形比較部
２６６  除外判定部
２６７  信号生成部
２６８  復調部
２５９  伝文出力部
３００  送信器
【図１】
0006638283.tif 000002
【図２】
0006638283.tif 000003
【図３】
0006638283.tif 000004
【図４】
0006638283.tif 000005
【図５】
0006638283.tif 000006
【図６】
0006638283.tif 000007
【図７】
0006638283.tif 000008
【図８】
0006638283.tif 000009
【図９】
0006638283.tif 000010
【図１０】
0006638283.tif 000011
【図１１】
0006638283.tif 000012
【図１２】
0006638283.tif 000013
【図１３】
0006638283.tif 000014
【図１４】
0006638283.tif 000015
【図１５】
0006638283.tif 000016
【図１６】
0006638283.tif 000017
【図１７】
0006638283.tif 000018
【図１８】
0006638283.tif 000019
【図１９】
0006638283.tif 000020
【図２０】
0006638283.tif 000021
【図２１】
0006638283.tif 000022
【図２２】
0006638283.tif 000023
【図２３】
0006638283.tif 000024
【図２４】
0006638283.tif 000025